(57)【要約】【課題】  製造と取り扱いの容易なヘアピースを提供する。【解決手段】  かつら用クリップ（１００）の上部弾性辺（１０３）内に設けられた挟持部（１０９）は曲げることにより形成される。挟持部の先端には、かつら用毛髪（１）の隣接した二つの結び目（５）に係止する傾斜係止顎（１１１ａ）が形成されている。【選択図】図１
2005133283.tif 000002
【特許請求の範囲】
【請求項１】
化学的に処理された多数筋のかつら用毛髪と、前記かつら用毛髪に取り付けられるかつら用クリップとを備える帯形ヘアピースであって、上記かつら用毛髪は整列されて一定な間隔で結び目に結くられて形成された取り付け端を有するものであり、上記かつら用クリップは、ベースフレームと、そのベースフレームの長手方向に沿って延びる互いに対向して配置された上部及び下部弾性辺と、上記上部及び下部弾性辺の間の両側弾性辺と、上記上部弾性辺に連続する基端部を有するヘア固定ピンとを含み、上記取付け端に取り付けられて人体毛髪に連結されるものであり、
上記かつら用クリップは、上記上部弾性辺において、その弾性辺の長手方向に沿って一定な間隔をおいて設けられた各々が尖った先端を有する複数の挟持部を含むものであり、
各挟持部は、その基端部を除いた部分が上記上部弾性辺から切断されて、上記上部弾性辺に対して離隔されるように、かつ、各挟持部の先端が上記上部弾性辺の一面の上方を向くように曲げられたものであり、
各挟持部は、挟持部の先端が隣接する二つの結び目の間に挟み込まれて上記結び目の間を通過した後に上記二つの結び目に係止される傾斜係止顎を含むことを特徴とする帯形ヘアピース。
【請求項２】
上記傾斜係止顎を含む上記挟持部の先端の最大幅と上記二つの結び目の間の間隔との比は１．１〜１．３：１であることを特徴とする請求項１に記載の帯形ヘアピース。
【請求項３】
上記挟持部の先端は両側に上記傾斜係止顎を含む矢印形状であることを特徴とする請求項１または２項に記載の帯形ヘアピース。
【請求項４】
上記挟持部の先端は一側に上記傾斜係止顎を含む矢印形状であることを特徴とする請求項１または２項に記載の帯形ヘアピース。
【請求項５】
上記挟持部の基端部を除いた部分は上記上部弾性辺に対して所定の角度で傾斜していることを特徴とする請求項１に記載の帯形ヘアピース。
【請求項６】
上記基端部に隣接した部分が丸く曲げられ、上記挟持部の基端部を除いた部分は上記上部弾性辺に対してほぼ平行であることを特徴とする請求項１に記載の帯形ヘアピース。
【請求項７】
化学的に処理された多数筋のかつら用毛髪がロール状の一端部を有するように束ねられた毛髪の束と、上記一端部と連結されて上記毛髪の束を人体毛髪に連結する固定手段とを備えたロール形ヘアピースであって、
上記固定手段は、
ベースフレームと、
上記ベースフレームの長手方向に沿って対向して配置された上部及び下部弾性辺と、
上記上部及び下部弾性辺の間の両側弾性辺と、
上記上部弾性辺に連続する基端部を有するヘア固定ピンと、
上記上部弾性辺において上記上部弾性辺の長手方向に沿って一定な間隔をおいて形成された断面が半円形である複数のロール挟み込み部とを備えたかつら用クリップであり、
各ロール挟み込み部は、その基端部を除いた部分が上記弾性辺から切断され、上記上部弾性辺から離隔し、かつ、上記ロール挟み込み部の先端部が上記上部弾性辺の長手方向に向くように曲げられたものであることを特徴とするロール形ヘアピース。
【請求項８】
化学的に処理された多数筋のかつら用毛髪がロール状の一端部を有するように束ねられた毛髪の束と、上記一端部と連結されて上記毛髪の束を人体毛髪に連結する固定手段とを備えたロール形ヘアピースであって、
上記固定手段は、
ベースフレームの長手方向に沿って対向されるように配置された上部及び下部弾性辺と、
上記上部及び下部弾性辺の間の両側弾性辺と、
上記上部弾性辺に連続する基端部を有するヘア固定ピンと、
上記上部弾性辺において、上記上部弾性辺の長手方向に沿って一定な間隔をおいて形成された、断面が台形である複数のロール挟み込み溝と、
上記上部弾性辺に設けられた把持帯と、
上記把持帯において上記複数のロール挟み込み溝と対応する位置に形成された断面がＭ字形である複数の突条とを備えたかつら用クリップであり、
上記ロール挟み込み溝と上記突条は上記上部弾性辺の幅方向に延びていることを特徴とするロール形ヘアピース。
【請求項９】
上記かつら用クリップは、上記両側面弾性辺の中間からはそれぞれ外側に突出する一対の突出片を含み、一方の突出片は貫通孔を有し、他方の突出片は球状突起を有し、
上記かつら用クリップの上記突起と、他のかつら用クリップの上記貫通孔との係合により、上記かつら用クリップは上記他のかつら用クリップと連結されることを特徴とする請求項１、７、８のいずれか一項に記載のヘアピース。
【発明の詳細な説明】
【技術分野】
【０００１】
本発明は部分かつらに使用されるヘアピースに関するものであって、より詳しくは、製作が容易であり、製造費用が節減され、取り付けが容易に構成されたヘアピースに関するものである。
【背景技術】
【０００２】
一般的に、ヘアピースは、その形態によって大きく帯形ヘアピースとロール形ヘアピースとに分けられる。
帯形ヘアピースは、化学的に処理された多数筋のかつら用毛髪が整列されて、ミシンによって縫製糸で一定な間隔で結び目に結くられて帯形状に形成されたものである。縫製糸で結くられた部分は人の髪に取リ付けられる取付け端として作用する。取付け端には、布で作られたかつらベースがミシンによって縫製糸で重ねて当てられることもある。
【０００３】
一方、ロール形ヘアピースは、化学的に処理されたかつら用毛髪が、一束ねずつ抜粋されて一端部が合わされるように整列された後、その一端部が接着剤によって固定されてロール形状に形成されたものである。
【０００４】
帯形ヘアピースは、作業者によって所定の長さに切断された後、クリップが取リ付けられる。クリップをヘアピースに取り付けるために、従来ではクリップの横方向両端部に取り付け孔を形成し、作業者が手で一々取り付け孔に糸を貫通させて、ヘアピースの取付け端またはかつらベースに縫っていたので、作業が面倒で生産性が低かった。
【０００５】
これを改善するために、かつら用クリップのベースフレームの長手方向に対向されるように配置された二つの弾性辺のうち、下部弾性辺に挟持部が突出されており、この挟持部はかつらベースと、該かつらベースの内側に設けられた被挟持部との間に挟み込まれるように構成された技術が開示されている（特許文献１参照）。
【０００６】
かつら用クリップを人体毛髪に固定しようとするとき、使用者はかつら用クリップの両側を両手で掴み、複数のヘア固定ピンが下部弾性辺から離隔されて開かれるように押した後、複数のヘア固定ピンの先端部を人体毛髪の上で下にずらすことにより、複数のヘア固定ピンの間に人体毛髪が挟み込まれる。このときに、かつら用クリップを反対方向に押せば、人体毛髪の間に挟み込まれた複数のヘア固定ピンの先端部が下部弾性辺に接触しながらヘア固定ピンが集まりながら、それらの間に人体毛髪が固定される。
【０００７】
ここで、かつら用クリップのベースフレームの長手方向に対向されるように配置された二つの弾性辺のうち、ヘア固定ピンの基端部が形成された部分を上部弾性辺とし、ヘア固定ピンの先端部が当接する部分を下部弾性辺であるとする。
【０００８】
しかし、特許文献１に開示された挟持部はベースフレームの下部弾性辺から突出されるが、方向が１８０度折れて反対方向に長々と突出しているので、一つのかつら用クリップを製造するために、弾性鋼板を曲げるにおいて、長々しい挟持部の長さだけより多くの弾性鋼板が必要である。
【０００９】
また、特許文献１に開示された挟持部は先端が単純に尖った形態であるので、不注意にかつらが挟持部の突出方向と同一な方向に引き寄せられると、挟持部がかつらベースから離脱し、かつら用クリップが、かつらから抜ける場合がある。これを防止するために、特許文献１では、かつら用クリップのベースフレームの上部弾性辺に補助挟持部が突出されるが、１８０度折れて反対方向に長々と突出されるようにしたが、挟持部３がかつらベースに挟み込まれた状態で作業者が補助挟持部をかつらベースに挟み込むためには補助挟持部を直角に広げて、かつらベースに挟み込んだ後、再び平たく曲げなければならないので、作業が面倒であるばかりでなく、一つのかつら用クリップを製造するための弾性鋼板が長々しい挟持部の長さの外に、長々しい補助挟持部の分だけより多く消耗される。
【００１０】
一方、ロールヘアピースは接着剤によって固定されたかつら用毛髪の一端部が人体毛髪に固定されるが、従来では、熱収縮チューブを使用して人体毛髪にかつら用毛髪を固定する技術が知られている（特許文献２参照）。熱収縮チューブの代わりに塑性変形が容易な錫で作ったリングが使用されることもある。しかし、熱収縮チューブまたは錫リングを使用する方式は、人体毛髪とロール形ヘアピースのかつら用毛髪を熱収縮チューブまたは錫リングの小さい孔内に一緒に挟み込まなければならないので、作業が面倒である。従って、従来では、ロール形ヘアピースの使用者自身が直接ロール形ヘアピースを自身の人体毛髪に固定できず、美容室等で他人の助けを受けなければならなかった。
【特許文献１】特開２００１−３２９４２２号公報
【特許文献２】米国特許第５１０７８６７号明細書
【発明の開示】
【発明が解決しようとする課題】
【００１１】
本発明の一つの目的は、帯形ヘアピースに取リ付けられるかつら用クリップのベースフレームの上部弾性辺内に、挟持部を曲げて形成するとともに、挟持部の先端がかつら用毛髪を結くられた縫製糸の隣接した二つの結び目の上に係止されるように構成された帯形ヘアピースを提供することにある。
【００１２】
さらに、本発明の他の一つの目的は、かつら用クリップのベースフレームの上部弾性辺内にロール挟み込み部を曲げてロール形ヘアピースの接着剤によって固定されたかつら用毛髪の一端部が挟み込まれて固定されるように構成されたロール形ヘアピースを提供することにある。
【課題を解決するための手段】
【００１３】
上記の本発明の一つの目的を達成するために、本発明の一態様は、化学的に処理された多数筋のかつら用毛髪と、前記かつら用毛髪に取り付けられるかつら用クリップとを備える帯形ヘアピースを提供する。上記かつら用毛髪は整列されて一定な間隔で結び目に結くられて形成された取り付け端を有するものであり、上記かつら用クリップは、ベースフレームと、そのベースフレームの長手方向に沿って延び、互いに対向して配置された上部及び下部弾性辺と、上記上部及び下部弾性辺の間の両側弾性辺と、上記上部弾性辺に連続する基端部を有するヘア固定ピンとを含み、上記取付け端に取り付けられて人体毛髪に連結されるものである。かつら用クリップは、上記上部弾性辺において、その弾性辺の長手方向に沿って一定な間隔をおいて設けられた各々が尖った先端を有する複数の挟持部を含み、各挟持部は、その基端部を除いた部分が上記上部弾性辺から切断されて、上記上部弾性辺に対して離隔されるように、かつ、各挟持部の先端が上記上部弾性辺の一面の上方を向くように曲げられている。各挟持部は、挟持部の先端が隣接する二つの結び目の間に挟み込まれて上記結び目の間を通過した後に上記二つの結び目に係止される傾斜係止顎を含む。
【００１４】
本発明の別の態様は、化学的に処理された多数筋のかつら用毛髪がロール状の一端部を有するように束ねられた毛髪の束と、上記一端部と連結されて上記毛髪の束を人体毛髪に連結する固定手段とを備えたロール形ヘアピースを提供する。固定手段は、ベースフレームと、上記ベースフレームの長手方向に沿って対向して配置された上部及び下部弾性辺と、上記上部及び下部弾性辺の間の両側弾性辺と、上記上部弾性辺に連続する基端部を有するヘア固定ピンと、上記上部弾性辺において上記上部弾性辺の長手方向に沿って一定な間隔をおいて形成された断面が半円形である複数のロール挟み込み部とを備えたかつら用クリップである。各ロール挟み込み部は、その基端部を除いた部分が上記弾性辺から切断され、上記上部弾性辺から離隔し、かつ、上記ロール挟み込み部の先端部が上記上部弾性辺の長手方向に向くように曲げられている。
【００１５】
本発明の更に別の態様は、化学的に処理された多数筋のかつら用毛髪がロール状の一端部を有するように束ねられた毛髪の束と、上記一端部と連結されて上記毛髪の束を人体毛髪に連結する固定手段とを備えたロール形ヘアピースを提供する。固定手段は、ベースフレームの長手方向に沿って対向されるように配置された上部及び下部弾性辺と、上記上部及び下部弾性辺の間の両側弾性辺と、上記上部弾性辺に連続する基端部を有するヘア固定ピンと、上記上部弾性辺において、上記上部弾性辺の長手方向に沿って一定な間隔をおいて形成された、断面が台形である複数のロール挟み込み溝と、上記上部弾性辺に設けられた把持帯と、上記把持帯において上記複数のロール挟み込み溝と対応する位置に形成された断面がＭ字形である複数の突条とを備えたかつら用クリップである。上記ロール挟み込み溝と上記突条は上記上部弾性辺の幅方向に延びている。
【発明の効果】
【００１６】
本発明の帯形ヘアピースによれば、かつら用クリップのベースフレームの上部弾性辺内に挟持部を曲げて形成するとともに、挟持部の先端がかつら用毛髪を結くられた縫製糸の隣接した二つの結び目の上に係止するように構成されているので、一つのかつら用クリップを製造するために所要される弾性鋼板が節減されるばかりでなく、かつら用クリップがかつらから抜けることがない。
【００１７】
本発明のロール形ヘアピースによれば、かつら用毛髪のロール状の一端部を固定するためのロール挟み込み部がかつら用クリップのベースフレームの上部弾性辺の一部を曲げて形成されるので、ロール形ヘアピースを人体毛髪に連結する作業が簡単になり、ロール形ヘアピースの使用者が直接ロール形ヘアピースを自身の人体毛髪に固定することができるので、美容室等で他人の助けを受ける必要がない。
【発明を実施するための最良の形態】
【００１８】
以下、本発明に基づくヘアピースの実施例を図面を参照しながら詳しく説明する。
まず、図１ないし図７を参照して帯形ヘアピースについて説明する。図５及び図６に示されたように、化学的に処理された多数筋のかつら用毛髪１は帯状に整列されて、ミシンによって縫製糸３で一定な間隔で結くられており、結び目５によって取り付け端７が形成されている。
【００１９】
図１にはかつら用毛髪１の取り付け端７に取リ付けられるかつら用クリップ１００が示されている。かつら用クリップ１００は板状のベースフレーム１０１の長手方向に沿って延び、互いに対向されるように配置された上部及び下部弾性辺１０３、１０５と、該上部及び下部弾性辺１０３、１０５の間に延びる両側弾性辺１０４、１０６と、ヘア固定ピン１０７とからなっている。
【００２０】
図７に示すように、かつら用クリップ１００はかつら用毛髪１の取り付け端７に取り付けられて、ヘア固定ピン１０７によって人体毛髪に連結される。
図１に示された実施例において、ヘア固定ピン１０７の基端部に連続する上部弾性辺１０３には、各々が尖った先端１１１を有する複数の挟持部１０９が上部弾性辺１０３の長手方向に沿って一定な間隔をおいて形成されている。挟持部１０９は、上部弾性辺１０３の一部を切断し、挟持部１０９の基端部を除いた部分が上部弾性辺１０３に対して離隔されるように曲げることによって形成される。図２の例では、挟持部１０９はその先端１１１が上部弾性辺１０３の一表面の上方に向かうように所定の角度で傾斜している。
【００２１】
挟持部１０９の両側あるいは一側には、傾斜係止顎１１１ａが形成されている。傾斜係止顎１１１ａの寸法は、図６及び図７から詳しく分かるように、隣接した二つの結び目５の間を通過した後、その二つの結び目５に係止されるように定められている。
【００２２】
即ち、傾斜係止顎１１１ａを含む先端１１１の最大幅と二つの結び目５の間の間隔との比は１．１〜１．３：１であるのが好ましい。このように傾斜係止顎１１１ａを含む先端１１１の最大幅が二つの結び目５の間の間隔と同じかこれより若干大きいと、挟持部１０９の係止顎１１１ａが隣接した二つの結び目５の間に挟み込まれるとき、二つの結び目５の間の間隔よりもっと大きい先端１１１の最大幅によって、結び目５が瞬間的に伸びるようになりながら、二つの結び目５の間を通過し、挟持部１０９の係止顎１１１ａが二つの結び目５の間を通過した後には結び目５が再び減りながら挟持部１０９の係止顎１１１ａが二つの結び目５の上に係止される。
【００２３】
かつら用毛髪１の取り付け端７に挟み込まれた挟持部１０９の係止顎１１１ａが二つの結び目５に係止されるので、かつら用毛髪１の取り付け端７から挟持部１０９が抜けることがない。
【００２４】
図２に示されたように、挟持部１０９の基端部を除いた部分は上部弾性辺１０３とほぼ平行になるように曲げられてもよい。
図３の例では、挟持部１０９の基端部の近傍が丸くなるように曲げられている。これにより、挟持部１０９の基端部を除いた部分は上部弾性辺１０３とほぼ平行になっている。
【００２５】
図１の例では、先端１１１が、その両側に傾斜係止顎１１１ａの形成された矢印形状であるが、図４の例では、先端１１１は一側に傾斜係止顎１１１ａの形成された矢印形状である。
【００２６】
次に、図８ないし図１４を参照してロール形ヘアピースについて説明する。
図８に示されたように、化学的に処理された多数筋のかつら用毛髪１は一束ねずつ抜粋されて一端部１ａが合わされるように整列された後、その一端部１ａが接着剤によって固定されてロール形状に形成されている。
【００２７】
図８はこのようなかつら用毛髪１の一端部１ａが固定されるかつら用クリップ２００が示されている。
図８に示されたように、かつら用クリップ２００はベースフレーム２０１の長手方向に対向されるように配置された上部及び下部弾性辺２０３、２０５と該上部及び下部弾性辺２０３、２０５の間の両側弾性辺２０４、２０６とヘア固定ピン２０７とからなっている。かつら用クリップ２００はかつら用毛髪１の一端部１ａを固定させ、人体毛髪に連結される。
【００２８】
図８に示された実施例において、かつら用クリップ２００のベースフレーム２０１の長手方向に対向されるように配置された二つの弾性辺２０３、２０５のうち、ヘア固定ピン２０７の基端部が形成された上部弾性辺２０３には、断面が半円形である複数のロール挟み込み部２０９が上記上部弾性辺２０３の長手方向に一定な間隔をおいて形成されている。ロール挟み込み部２０９はその基端部を除いた部分が切断されて上部弾性辺２０３に対して離隔されるように曲げられている。一実施例では、ロール挟み込み部２０９はその先端部が上部弾性辺２０３の長手方向に向かうように形成されている。
【００２９】
図９及び図１０にはロール挟み込み部２０９にかつら用毛髪１の一端部１ａを固定する過程が示されている。
図９の状態のロール挟み込み部２０９にかつら用毛髪１の一端部１ａが挟み込まれた後に、図１０に示されたように、ロール挟み込み部２０９を押すとロール挟み込み部２０９がつぶれてかつら用毛髪１の一端部１ａを固定する。
【００３０】
図１１ないし図１４を参照してさらに他の実施例のロールヘアピースについて説明する。
図１１に示された実施例では、かつら用クリップ３００は、ベースフレーム３０１の長手方向に沿って延び、互いに対向されるように配置された上部及び下部弾性辺３０３、３０５と、上記上部及び下部弾性辺３０３、３０５の間の両側弾性辺３０４、３０６とヘア固定ピン３０７とからなる。
【００３１】
ヘア固定ピン３０７の基端部に連続する上部弾性辺３０３には、断面が台形である複数のロール挟み込み溝３０９が上部弾性辺３０３の長手方向に一定な間隔をおいて形成されている。一実施例では、ロール挟み込み溝３０９は上部弾性辺３０３を曲げることにより形成される。
【００３２】
上部弾性辺３０３の上には把持帯３１０がリベット継ぎによって密着されるように設けられている。把持帯３１０は複数のロール挟み込み溝３０９を横切るように延びている。
把持帯３１０には複数のロール挟み込み溝３０９と対応する位置に断面がＭ字形である複数の突条３１１が形成されている。ロール挟み込み溝３０９と突条３１１は上部弾性辺３０３の幅方向に沿って延びるように形成されている。
【００３３】
図１２ないし図１４を参照してロール挟み込み溝３０９と突条３１１の間にかつら用毛髪１の一端部１ａを固定する過程を説明する。
図１２の状態で上部弾性辺３０３を開いて図１３のように、ロール挟み込み溝３０９と突条３１１との間に空間が生じるようにした後、ロール挟み込み溝３０９と突条３１１との間にかつら用毛髪１の一端部１ａが挟み込まれた後に、図１４に示されたように、上部弾性辺３０３を押圧すればロール挟み込み溝３０９と突条３１１との間にかつら用毛髪１の一端部１ａが挟まれて固定される。
【００３４】
図１５ないし図１７を参照して本発明のさらに他の変形実施例を説明する。
図１５ないし図１７では図１の実施例であるかつら用クリップ１００の変形例を示すが、図８及び図１１のかつら用クリップ２００、３００を同様に変形してもよい。
【００３５】
図１５に示された実施例において、かつら用クリップ１００のベースフレーム１０１の両側弾性辺１０４、１０６の中間には外側に突出する突出片が一体に形成されている。一方の突出片には貫通孔１１３ａが形成され、他方の突出片には球形状の突起１１１３ｂが形成されている。図１６及び図１７に示されたように、一つのかつら用クリップ１００の突出片の突起１１３ｂと、他の一つのかつら用クリップ１００’の突出片の貫通孔１１３ａとの係合により、一つのかつら用クリップ１００と他の一つのかつら用クリップ１００’が互いに連結される。
【図面の簡単な説明】
【００３６】
【図１】本発明の一実施例に従う帯形ヘアピースに取リ付けられるかつら用クリップの平面図。
【図２】図１のＩＩ−ＩＩ線に沿った断面図。
【図３】図１の変形例を示した断面図。
【図４】図１の変形例を示した平面図。
【図５】かつら用毛髪の取り付け端に取リ付ける前のかつら用クリップの斜視図。
【図６】かつら用クリップの取り付けられたかつら用毛髪の一部を破断してクリップの挟持部を示す斜視図。
【図７】図６のＶＩＩ−ＶＩＩ線に沿った断面図。
【図８】本発明の一実施例に従うロール形ヘアピースのかつら用クリップとかつら用毛髪の斜視図。
【図９】図８のＩＸ−ＩＸ線に沿った断面図。
【図１０】かつら用毛髪が固定されたロール形ヘアピースの断面図。
【図１１】図８のかつら用クリップの変形例を示す斜視図。
【図１２】図１１のＸＩＩ−ＸＩＩに沿った断面図。
【図１３】図１２において上部弾性辺を開いた状態の断面図。
【図１４】図１３においてかつら用毛髪が固定された状態の断面図。
【図１５】図１のかつら用クリップの変形例を示した平面図。
【図１６】連結されたかつら用クリップの平面図。
【図１７】図１６のＸＶＩＩ−ＸＶＩＩに沿った断面図。
【符号の説明】
【００３７】
１…かつら用毛髪
７…取り付け端
１００、２００、３００…かつら用クリップ
１０１、２０１、３０１…ベースフレーム
１０３、２０３、３０３…上部弾性辺
１０５、２０５、３０５…下部弾性辺
１０４、１０６、２０４，２０６、３０４，３０６…両側弾性辺
１０７、２０７，３０７…ヘア固定ピン
１０９…挟持部
１１１ａ…傾斜係止顎
２０９…ロール挟み込み部
３０９…ロール挟み込み溝
３１０…把持帯
３１１…突条
１１３ａ…貫通孔
１１３ｂ…突起
【図１】
2005133283.tif 000003
【図２】
2005133283.tif 000004
【図３】
2005133283.tif 000005
【図４】
2005133283.tif 000006
【図５】
2005133283.tif 000007
【図６】
2005133283.tif 000008
【図７】
2005133283.tif 000009
【図８】
2005133283.tif 000010
【図９】
2005133283.tif 000011
【図１０】
2005133283.tif 000012
【図１１】
2005133283.tif 000013
【図１２】
2005133283.tif 000014
【図１３】
2005133283.tif 000015
【図１４】
2005133283.tif 000016
【図１５】
2005133283.tif 000017
【図１６】
2005133283.tif 000018
【図１７】
2005133283.tif 000019